(57)【要約】【課題】製材端材を有効に活用し得るようにする。【解決手段】原木１から板取りした後に残る表皮回りの残材である製材端材４の表皮面を、建材用板厚にカットして、ほぼ台形状端面部６とほぼ台形状板面部７とを有する端材板８を設け、複数の端材板８を、台形状端面部６を交互に反転配置し、且つ、台形状板面部７を交互に反転配置して組合せると共に、隣接する端材板８の側面部間を接合手段１０で接合して端材板組合面材１１を形成し、端材板組合面材１１の木端を建材形状にカットして端材板組合建材２１を構成するようにしている。【選択図】図７
2008106429.tif 000002
【特許請求の範囲】
【請求項１】
原木から板取りした後に残る表皮回りの残材である製材端材の表皮面を、建材用板厚にカットして、ほぼ台形状端面部とほぼ台形状板面部とを有する端材板を設け、
複数の端材板を、台形状端面部を交互に反転配置し、且つ、台形状板面部を交互に反転配置して組合せると共に、
隣接する端材板の側面部間を接合手段で接合して端材板組合面材を形成し、
該端材板組合面材の木端を建材形状にカットして端材板組合建材を構成したことを特徴とする板状建材。
【請求項２】
前記端材板組合建材の片面または両面に、補助用建材を貼り合わせて複層材を構成したことを特徴とする請求項１記載の板状建材。
【請求項３】
前記端材板組合建材に貼り合わせる補助用建材が、定形材であることを特徴とする請求項２記載の板状建材。
【請求項４】
前記定形材が、端材板組合建材の全面に亘る面材であることを特徴とする請求項３記載の板状建材。
【請求項５】
前記定形材が、端材板と交差して、端材板組合建材の全幅に亘る横板材であることを特徴とする請求項３記載の板状建材。
【請求項６】
前記定形材が、端材板組合建材の全面に亘る別の端材板組合建材であることを特徴とする請求項３記載の板状建材。
【請求項７】
前記端材板組合建材に貼り合わせる補助用建材が、半定形材であることを特徴とする請求項２記載の板状建材。
【発明の詳細な説明】
【技術分野】
【０００１】
この発明は、板状建材に関するものである。
【背景技術】
【０００２】
建築などに用いられる板材は、製材所で原木を板取りすることによって得られる（例えば、特許文献１参照）。
【特許文献１】特開平０８−１７８６３５号公報
【発明の開示】
【発明が解決しようとする課題】
【０００３】
原木から板取りした後に残る表皮廻りの残材は、製材端材などと呼ばれており、この製材端材は有効な活用法がないため、廃棄されるなどしているのが現状である。
【課題を解決するための手段】
【０００４】
上記課題を解決するために、請求項１に記載された発明では、原木から板取りした後に残る表皮回りの残材である製材端材の表皮面を、建材用板厚にカットして、ほぼ台形状端面部とほぼ台形状板面部とを有する端材板を設け、複数の端材板を、台形状端面部を交互に反転配置し、且つ、台形状板面部を交互に反転配置して組合せると共に、隣接する端材板の側面部間を接合手段で接合して端材板組合面材を形成し、該端材板組合面材の木端を建材形状にカットして端材板組合建材を構成した板状建材を特徴としている。
【０００５】
請求項２に記載された発明では、前記端材板組合建材の片面または両面に、補助用建材を貼り合わせて複層材を構成したことを特徴としている。
【０００６】
請求項３に記載された発明では、前記端材板組合建材に貼り合わせる補助用建材が、定形材であることを特徴としている。
【０００７】
請求項４に記載された発明では、前記定形材が、端材板組合建材の全面に亘る面材であることを特徴としている。
【０００８】
請求項５に記載された発明では、前記定形材が、端材板と交差して、端材板組合建材の全幅に亘る横板材であることを特徴としている。
【０００９】
請求項６に記載された発明では、前記定形材が、端材板組合建材の全面に亘る別の端材板組合建材であることを特徴としている。
【００１０】
請求項７に記載された発明では、前記端材板組合建材に貼り合わせる補助用建材が、半定形材であることを特徴としている。
【発明の効果】
【００１１】
請求項１の発明によれば、原木から板取りした後に残る表皮回りの残材である製材端材の表皮面を、建材用板厚にカットして、ほぼ台形状端面部とほぼ台形状板面部とを有する端材板を設け、複数の端材板を、台形状端面部を交互に反転配置し、且つ、台形状板面部を交互に反転配置して組合せると共に、隣接する端材板の側面部間を接合手段で接合して端材板組合面材を形成し、該端材板組合面材の木端を建材形状にカットして端材板組合建材を構成したことにより、これまで廃棄されていた製材端材を建材として有効に活用することができる。
【００１２】
請求項２の発明によれば、前記端材板組合建材の片面または両面に、補助用建材を貼り合わせて複層材を構成したことにより、端材板組合建材に各種の機能を付与し、目的や用途に応じて様々に使用できるようにすることができる。
【００１３】
請求項３の発明によれば、前記端材板組合建材に貼り合わせる補助用建材を、定形材とすることにより、強度を付与することができる。
【００１４】
請求項４の発明によれば、前記定形材を、端材板組合建材の全面に亘る面材とすることにより、面方向に対する強度を上げることができる。
【００１５】
請求項５の発明によれば、前記定形材を、端材板と交差して、端材板組合建材の全幅に亘る横板材とすることにより、交差する方向に対する強度を上げることができる。
【００１６】
請求項６の発明によれば、前記定形材を、端材板組合建材の全面に亘る別の端材板組合建材とすることにより、端材板組合建材のみにて強度を持たせることができる。また、木端を段違いにして貼り合わせることにより、相欠りや実継ぎ接合ができるようになる。
【００１７】
請求項７の発明によれば、前記端材板組合建材に貼り合わせる補助用建材を、半定形材とすることにより、変形し易い特性を付与することができる。
【発明を実施するための最良の形態】
【００１８】
以下、本発明を具体化した実施例について、図示例と共に説明する。
【実施例】
【００１９】
図１〜図１５は、この発明の実施例を示すものである。
【００２０】
まず、構成について説明する。製材所で、図１に示すように、原木１を平行にカットするなどにより板取りして、建築などに用いられる複数枚の板材２を製造する。符号３は、原木１の断面に対する平行な製材カット線である。
【００２１】
そして、原木１から板取りした後に残る、図２に示すような表皮廻りの残材は、製材端材４などと呼ばれ、通常は廃材とされる。
【００２２】
この製材端材４は、板材２の最小幅Ｗ以下のものとなる。また、直径の大きな原木１の場合には、製材端材４は板厚ｔが薄くなり、直径の小さな原木１の場合には、製材端材４は板厚ｔが厚くなる傾向にある。また、図３に示すように、原木１は、根元側の部分が太く、先端側の部分が細い、ほぼ円錐状となるため、製材端材４は、根元側に生じると共に、原木１よりも長さが短いものとなる。
【００２３】
そして、原木１から板取りした後に残る表皮回りの残材である製材端材４の表皮面を、図４に示すように、建材用板厚ｔ１にカットして、図５に示すように、ほぼ台形状端面部６と、ほぼ台形状板面部７と、傾斜した両側面部とを有する端材板８を設ける。この際、両側面部は、表皮部を残すようにしても良いし、取り除いても良い。ここでは、表皮部を残すようにしている。
【００２４】
更に、複数の端材板８を、図６に示すように、台形状端面部６を交互に反転配置し、且つ、図７に示すように、台形状板面部７を交互に反転配置して組合せる。この際、それぞれの端材板８は大きさや形が揃っていないが、端材板８の側面部間が最小限の隙間となるように接触させて配置する。なお、ここで反転配置とは、台形の上底と下底とを上下逆さまにして配置することを言う。
【００２５】
そして、図８、図９に示すように、隣接する端材板８の側面部間を接合手段１０で接合して端材板組合面材１１を形成する。
【００２６】
ここで、図８に示すように、接合手段１０には、ファスナー部材１２を用いることができる。ファスナー部材１２としては、図８（ａ）に示すような、かすがい釘１３（ステープル）や、図８（ｂ）に示すような、波釘１４や、図８（ｃ）に示すような、相釘１５や、図８（ｄ）に示すような、ギャングネイル１６などを用いることができる。ここで、かすがい釘１３や波釘１４やギャングネイル１６は、端材板８の表面側または裏面側から打つか、或いは、両面から交互に打つようにする。波釘１４は、端材板８の厚み（建材用板厚ｔ１）よりも短いものを用いる。相釘１５は、端材板８の厚み方向の中央部分間に打つようにする。
【００２７】
また、図９に示すように、接合手段１０には、接着剤１７を用いることができる。接着剤１７による接着は、両側面部の表皮部を前処理した後に、図９（ａ）に示すように、端材板８の側面部に接着剤１７を塗布して、端材板８の側面部どうしを密着させたり、図９（ｂ）に示すように、端材板８の側面部間の隙間に接着剤１７を充填したりする。
【００２８】
更に、図７に示すように、端材板組合面材１１の木端を建材形状にカットして端材板組合建材２１を構成する。符号２２は、矩形状にする場合の木端カット線の例を示す。
【００２９】
こうしてできた端材板組合建材２１に対し、片面または両面に、補助用建材２５を貼り合わせて複層材２６とする。補助用建材２５の貼り合わせには、例えば、接着剤や釘などを用いる。
【００３０】
例えば、端材板組合建材２１に貼り合わせる補助用建材２５としては、定形材２７を用いることが可能である。
【００３１】
この定形材２７は、図１０、図１１に示すように、端材板組合建材２１の全面に亘る面材２８であっても良い。なお、図１０は片面貼りの例を、図１１は両面貼りの例を示している。
【００３２】
この面材２８としては、木質系のものや、無気質系のものや、金属系のものなどを使うことができる。木質系の面材２８には、例えば、合板、ＯＳＢ、ＲＤＦ、パーティクルボード、その他がある。無気質系の面材２８には、例えば、石膏ボード、硬質木片セメント板、ケイカル板、ＡＬＣ板、その他がある。金属系の面材２８には、例えば、平鋼板、波板鋼板、キーストン鋼板、ラス金網、エクスパンドメタル、アルミ板、その他がある。
【００３３】
また、定形材２７は、図１２に示すように、端材板８と交差して、端材板組合建材２１の全幅に亘る横板材２９であっても良い。なお、図１２は片面貼りの例を示しているが、両面貼りとしても良い。横板材２９は、隙間を開けて取付けても良いし、隙間を開けないで取付けても良い。
【００３４】
この横板材２９としては、上記と同様、木質系のものや、無気質系のものや、金属系のものなどを使うことができる。木質系の横板材２９には、例えば、合板、ＯＳＢ、ＲＤＦ、パーティクルボード、その他がある。無気質系の横板材２９には、例えば、石膏ボード、硬質木片セメント板、ケイカル板、ＡＬＣ板、その他がある。金属系の横板材２９には、例えば、平鋼板、波板鋼板、キーストン鋼板、ラス金網、エクスパンドメタル、アルミ板、その他がある。
【００３５】
更に、定形材２７は、図１３、図１４に示すように、端材板組合建材２１の全面に亘る別の端材板組合建材２１であっても良い。図１３、図１４は２枚貼りの例を示しているが、３枚貼り以上とすることもできる。端材板組合建材２１どうしは目違いに重ねるようにする。この場合、端材板組合建材２１を重ね合わせて接着剤１７または釘などで貼り合わせる。図１３のように、木端を揃えた状態で貼り合わせても良いし、図１４のように木端を段違いにした状態で貼り合わせても良い。木端を揃えた状態で貼り合わせる場合には、貼り合わせ前に木端をカットしても良いし、貼り合わせ後に木端をカットしても良い。
【００３６】
また、例えば、端材板組合建材２１に貼り合わせる補助用建材２５としては、図１５に示すように、半定形材３１を用いることが可能である。なお、図１５は片面貼りの例を示しているが、両面貼りとしても良い。この場合、半定形材３１には、シート材３２が用いられる。このシート材３２としては、防水シート系のものや、透湿防水シートや、その他のものを使うことができる。防水シート系のシート材３２には、例えば、塩ビシート、ポリフィルム、薄板鋼板、アスファルト防水紙、その他がある。透湿防水シートには、タイベックスなどがある。その他のシートには、例えば、紙や布などがある。
【００３７】
次に、この実施例の作用について説明する。
【００３８】
この実施例によれば、原木１から板取りした後に残る表皮回りの残材である製材端材４の表皮面を、建材用板厚にカットして、ほぼ台形状端面部６とほぼ台形状板面部７とを有する端材板８を設け、複数の端材板８を、台形状端面部６を交互に反転配置し、且つ、台形状板面部７を交互に反転配置して組合せると共に、隣接する端材板８の側面部間を接合手段１０で接合して端材板組合面材１１を形成し、端材板組合面材１１の木端を建材形状にカットして端材板組合建材２１を構成したことにより、これまで廃棄されていた製材端材４を建材として有効に活用することができるようになる。
【００３９】
この際、端材板組合建材２１の片面または両面に、補助用建材２５を貼り合わせて複層材２６を構成したことにより、端材板組合建材２１に各種の機能を付与し、目的や用途に応じて様々な用途に使用することが可能となる。
【００４０】
例えば、補助用建材２５を貼り合わせることにより、端材板組合建材２１単体の場合よりも強度を上げるようにすることができる。なお、端材板組合建材２１の片面に、補助用建材２５を貼り合わせた場合には、端材板８の長手方向の強度は主として端材板８が担当し、端材板８の短手方向の強度は主として補助用建材２５が担当することとなる。また、端材板組合建材２１の両面に、補助用建材２５を貼り合わせた場合には、端材板８の長手方向の強度および端材板８の短手方向の強度共に補助用建材２５が担当することとなるので、より高い強度が得られるようになる。
【００４１】
そして、端材板組合建材２１に貼り合わせる補助用建材２５を、定形材２７とすることにより、強度を付与することができる。
【００４２】
特に、定形材２７を、端材板組合建材２１の全面に亘る面材２８とすることにより、面方向に対する強度を上げることができる。
【００４３】
このように、補助用建材２５として面材２８を貼り合わせた端材板組合建材２１の複層材２６は、例えば、床下地板、内壁下地板、天井下地板、扉、家具などのように、全面にフラットな面が必要な用途に用いることができる。この場合、面材２８には、合板、石膏ボード、平鋼板などのように面一平坦なものなどが用いられる。また、例えば、屋根野地板（小屋裏の結露防止）、外壁下地板（壁内結露防止）などのように、面からの換気を期待する用途にも使用することができる。この場合、面材２８には、ラス金網、エクスパンドメタル、穴開き鋼板などが用いられる。
【００４４】
または、定形材２７を、端材板８と交差して、端材板組合建材２１の全幅に亘る横板材２９とすることにより、交差する方向に対する強度を上げることができる。但し、端材板８の長手方向に対しては分断されるなどにより強度は期待できないが、端材板８どうしの一体化は可能なので、端材板８間の隙間を換気スリットなどとして利用することも可能である。
【００４５】
このように、補助用建材２５として横板材２９を貼り合わせた端材板組合建材２１の複層材２６は、例えば、屋根野地板（小屋裏の結露防止）、外壁下地板（壁内結露防止）、すのこ（排水）などのように、面からの換気を期待する用途にも使用することができる。また、床根太や天井野縁のピッチに合わせて補助用建材２５の裏面に横板材２９を配置することにより、面に突起が生じても支障のない用途にも使用することができる。この場合には、表面側（床面や天井面）をフラットにすることができる。
【００４６】
更に、定形材２７を、端材板組合建材２１の全面に亘る別の端材板組合建材２１とすることにより、端材板組合建材２１のみにて強度を持たせることができる。なお、図１３のように、木端を揃えて貼り合わせた場合には、隣接する建材との間は、目透かし、めくら接合となる。また、図１４に示すように、木端を段違いにして貼り合わせた場合には、隣接する建材との間は、相欠りや実継ぎ接合となる。
【００４７】
このように、補助用建材２５として端材板組合建材２１と端材板組合建材２１とを目違いにして複層貼り合わせた複層材２６は、例えば、床下地板、外壁下地板、屋根下地板などのように、全面にほぼフラットな面が必要な用途（端層に対し、端材板８間の隙間が非貫通になる用途）などに用いることができる。
【００４８】
また、端材板組合建材２１に貼り合わせる補助用建材２５を、半定形材３１とすることにより、変形し易い特性を付与することができる。例えば、シート材３２を片面貼りにした場合には、巻物状にすることなどができる。また、シート材３２は、余分に大きなサイズとすることにより、防水代などの重ね代とすることができる。
【００４９】
このように、補助用建材２５としてシート材３２などの半定形材３１を貼り合わせた端材板組合建材２１の複層材２６は、例えば、曲面や片折状の垂木に下地板として取付けることにより、非平坦面を構成する下地などの用途に用いることができる。また、屋根下地板、壁下地板として予め防水シートを貼り付けておくようにすることにより、防水面を構成する用途に用いることができる。なお、つなぎ部分は余分なシート材３２を重ね合せるようにする。
【００５０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、各実施例に複数の構成が含まれている場合には、これらの構成の可能な組合せが含まれることは勿論である。また、複数の実施例や変形例が示されている場合には、これらに跨がった構成の組合せのうちの可能なものが含まれることは勿論である。
【図面の簡単な説明】
【００５１】
【図１】本発明の実施例にかかる原木の板取状態を示す断面図である。
【図２】図１の製材端材の端面図である。
【図３】図１の原木の側面図である。
【図４】図２の製材端材から作られた端材板の端面図である。
【図５】（ａ）は端材板の端面図、（ｂ）は端材板の板面図である。
【図６】端材板組合面材の端面図である。
【図７】端材板組合面材の板面図である。
【図８】（ａ）（ｂ）（ｃ）（ｄ）は、端材板組合面材に対し接合手段として各種のファスナー部材を用いた状態を示す端面図である。
【図９】（ａ）（ｂ）は、端材板組合面材に対し接合手段として接着剤を用いた状態を示す端面図である。
【図１０】端材板組合建材に補助用建材として定形材（面材）を片面貼りした複層材の端面図である。
【図１１】端材板組合建材に補助用建材として定形材（面材）を両面貼りした複層材の端面図である。
【図１２】端材板組合建材に補助用建材として横板材を片面貼りした複層材の端面図である。
【図１３】端材板組合建材に補助用建材として別の端材板組合建材を貼り合せた複層材（木端を揃えて貼り合わせた場合）の端面図である。
【図１４】端材板組合建材に補助用建材として別の端材板組合建材を貼り合せた複層材（木端を段違いにして貼り合わせた場合）の端面図である。
【図１５】端材板組合建材に補助用建材として半定形材を片面貼りした複層材の端面図である。
【符号の説明】
【００５２】
１    原木
４    製材端材
６    台形状端面部
７    台形状板面部
８    端材板
１０  接合手段
１１  端材板組合面材
２１  端材板組合建材
２５  補助用建材
２６  複層材
２７  定形材
２８  面材
２９  横板材
３１  半定形材
【図１】
2008106429.tif 000003
【図２】
2008106429.tif 000004
【図３】
2008106429.tif 000005
【図４】
2008106429.tif 000006
【図５】
2008106429.tif 000007
【図６】
2008106429.tif 000008
【図７】
2008106429.tif 000009
【図８】
2008106429.tif 000010
【図９】
2008106429.tif 000011
【図１０】
2008106429.tif 000012
【図１１】
2008106429.tif 000013
【図１２】
2008106429.tif 000014
【図１３】
2008106429.tif 000015
【図１４】
2008106429.tif 000016
【図１５】
2008106429.tif 000017